【事件の表示】
　特許第３０１４４５９号「ＴｉＯ▲下２▼微小顔料とアシルアミノ酸を含有する光保護用化粧品組成物」の請求項１ないし１４に係る特許に対する特許異議の申立てについて、次のとおり決定する。
【結　論】
　訂正を認める。
　特許第３０１４４５９号の請求項１ないし４に係る特許を維持する。
【理　由】
　　　　　理　　　　　　　由
１．手続の経緯
　本件特許第３０１４４５９号の発明については、平成８年９月１０日に出願され、平成１１年１２月１７日にその特許権の設定登録がなされ、その後、中島　理及び福島一郎より特許異議の申し立てがなされ、当審により取り消し理由通知がなされ、その指定期間内である平成１３年７月６日に訂正請求（後日取下げ）がなされた後、再度の取消理由が通知され、その指定期間内である平成１５年５月１４日に訂正請求がなされたものである。
　
２．訂正の適否についての判断
　ア．訂正の内容
  特許権者が求めている訂正の内容は、以下のとおりである。
(i)訂正事項ａ．
　特許請求の範囲における請求項１〜１４を次の請求項１〜４に訂正する。
「【請求項１】少なくとも１つのアシルグルタマートを、５から１００ｎｍの間の平均径を有する酸化チタン微少顔料を含有する組成物に導入することを特徴とする該組成物の光青化を減少させる方法。
【請求項２】前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項１に記載の方法。
【請求項３】５から１００ｎｍの間の平均径を有する酸化チタン微少顔料の存在による光青化を減少させるための、該顔料を含有する組成物へのアシルグルタマートの使用。
【請求項４】前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項３に記載の使用。」
　
　イ．訂正の適否、新規事項の有無及び拡張・変更の存否
　上記の訂正事項ａ．は、訂正前の請求項１〜１０を削除し、訂正前の請求項１１及び１３をそれぞれ請求項３及び１とし、訂正前の請求項１２及び１４におけるアシルグルタマートを訂正前の請求項５に列挙された化合物に限定して、それぞれ請求項４及び２としたものであり、いずれも特許請求の範囲の減縮を目的とした明細書の訂正に該当する。
　そして、上記の訂正事項は、特許明細書に記載された事項の範囲内のものであって、かつ、実質上特許請求の範囲を拡張し又は変更するものではない。
　
　ウ．むすび
　以上のとおりであるから、上記訂正請求は、特許法第１２０条の４第２項及び同条第３項で準用する第１２６条第２項及び第３項の規定に適合するので、当該訂正を認める。
３．特許異議の申立てについて
　ア．本件発明
　特許第３０１４４５９号の請求項１〜４に係る発明は、上記訂正事項１に記載されたとおりのものである。
　
　イ．申立の理由の概要
　特許異議申立人中島　理（以下、「申立人Ａ」という。）は、証拠として甲第１号証（特公昭６１−１１９２４号公報）、甲第２号証（特公昭４７−４２５０２号公報）、甲第３号証（特開昭５８−６２１０６号公報）、甲第４号証（特開昭４９−４５０号公報）、甲第５号証（「化粧品原料辞典」、第251頁、252頁、456頁、511頁及び522頁、平成３年１１月２９日、日光ケミカルズ株式会社他発行）、甲第６号証（特開昭５８−７２５１２号公報）、甲第７号証（特開平７−２５２１２５号公報）、甲第８号証（「化学大辞典」、第５巻、第544-545頁、１９８９年８月１５日、共立出版株式会社発行）、甲第９号証（「化学大辞典」、第３巻、第736-739頁、１９８９年８月１５日、共立出版株式会社発行）及び甲第１０号証（特開平９−１３６０２８号公報）を提出し、訂正前の本件請求項１〜７及び訂正前の請求項８〜１４に係る発明は、甲第１または７号証に記載された発明であるから特許法第２９条第１項第３号に該当し、特許を受けることができず、また、訂正前の本件請求項１に係る発明は、甲第１〜６号証もしくは甲第７〜９号証及び甲第５号証に記載された発明から当業者が容易に発明をすることができたものであり、訂正前の本件請求項２〜１４に係る発明は、甲第１〜９号証に記載された発明から当業者が容易に発明をすることができたものであるから、特許法第２９条第２項の規定違反し特許を受けることができないので、訂正前の請求項１〜１４に係る発明の特許を取り消すべき旨主張する。
　また、特許異議申立人福島一郎（以下、「申立人Ｂ」という。）は、証拠として甲第１号証（特開平７−１０１８４４号公報）、甲第２号証（特公昭４７−４２５０２号公報；申立人Ａの甲第２号証と同じ）、甲第３号証（垣原高志著「化粧品の実際知識（第２版）」、第１７８〜１８１頁、東洋経済新報社、１９８７年１２月３日第１刷、１９９３年３月３日第４刷）、甲第４号証（田村健夫他著「香粧品化学」、第１６０〜１６１頁、フレグランスジャーナル社）、甲第５号証（日本化粧品科学研究会編「機能性化粧品」、第２７５〜２７８頁、１９９０年８月２８日、株式会社シーエムシー発行）、甲第６号証（特開昭５７−１７１９０７号公報）及び甲第７号証（特開平５−７０３３２号公報）を提出し、訂正前の請求項１〜１４に係る発明は甲第１または６号証に記載された発明であるから特許法第２９条第１項第３号に該当し、特許を受けることができず、また、訂正前の請求項１〜５及び１１〜１４に係る発明は、甲第１〜６号証に記載された発明から当業者が容易に発明をすることができたものであり、訂正前の請求項６〜１０に係る発明は、甲第１〜７号証に記載された発明から当業者が容易に発明をすることができたものであるから、特許法第２９条第２項の規定違反し特許を受けることができないので、訂正前の請求項１〜１４に係る発明の特許を取り消すべき旨主張する。
　
　ウ．申立人が提出した甲各号証記載の発明
　ウー１．申立人Ａの提出した甲第１号証は、アルコールを含有したメイクアップ用の乳化化粧料に関するもので、その実施例２には、Ｎ−アシル−Ｌ−グルタミン酸ソーダ（アシル基はラウロイル基）を0.5重量％及び酸化チタンを10.0重量％含有するサンスクリーンファンデーションが記載され、甲第２号証は、日焼け止め化粧料に関するもので、「平均粒径30〜40ｍμの酸化チタンを１〜10％配合」した「日焼け止め化粧料」が記載（特許請求の範囲）され、甲第３号証には、平均粒径10〜30ｍμ(10〜30nm）の超微粒子状酸化チタンを配合した化粧料が記載され（特許請求の範囲）、該化粧料は皮膚を紫外線から保護するためのものであることが記載（第２頁左下欄第１４〜１８行）され、甲第４号証には、粒径20〜100ｍμ(20〜100nm)の微粒子状酸化チタンを配合した紫外線防止化粧料が記載（特許請求の範囲）され、甲第５号証には、Ｎ−ステアロイル−Ｌ−グルタミン酸ナトリウムなどが適度な起泡力、洗浄力を持ち、メイクアップ化粧料、頭髪用化粧品、クリーム、乳液などに使用されることが記載（第２５１頁、４５６頁、５１０〜５１１頁）され、甲第６号証には、Ｎ−ラウロイル、−ミリストイル、またはーステアロイル−グルタミン酸の二価金属塩を含むメークアップ化粧料が記載（特許請求の範囲）されており、甲第７号証には、実施例１５として、紫外線遮断効果を有するスキンクリームが記載され、甲第８号証には、ゾルとは、コロイド粒子が液体中に分散していて流動性を示す系をいう、と記載（第５４４頁、「ゾル」の項）され、甲第９号証には、コロイド粒子とは、コロイド次元の大きさの粒子をいい、コロイド次元とは直径１０−５〜１０−７ｃｍ（１００〜１ｎｍ）であることが記載（第７３７頁、「コロイド」の項）され、甲第１０号証には、その実施例４において多木化学（株）の酸化チタンゾルが使用されており（第１５欄第３３〜３４行）、該TiO2超微粒子の平均粒子径は０．０１μｍ（１０ｎｍ）であることが記載（第１５欄第４９〜５０行）されている。
　ウー２．申立人Ｂの提出した甲第１号証は多層エマルジョンに関するもので、内油相中に紫外線吸収剤を配合したＯ／Ｗ／Ｏ型の多層エマルジョンが記載（特許請求の範囲）され、処方例７及び８には、Ｎ−アシル−Ｌ−グルタミン酸ナトリウム0.1重量％、微粒子酸化チタン3.5重量％を配合したサンスクリーンエマルジョンが記載（第１２頁第７行〜第１３頁第１６行）され、甲第２号証は、申立人Ａの提出した甲第２号証と同一であり、上記ウー１で述べた内容が記載され、甲第３号証には、酸化チタンについて、0.2μぐらいの粒子のものが光を散乱させてもっとも白く見えること、最近30ｍμの微粒子状のものが製造され、皮膚に白く着色することなく、紫外線透過率が低く、日焼け防止化粧品に応用されていることが記載（第１８０頁第２〜８行）され、甲第４号証には、最近、微粒子チタンが開発され、日焼け防止化粧品に紫外線遮断剤として用いられていること、微粒子酸化チタンは、一次粒子平均が0.015〜0.05μｍで、可視光線の波長の１０分の１と小さいため、着色力や被覆力が小さい反面400nm以下の波長を吸収し、紫外線防止効果を与えることが記載（第１６０頁第１７〜２７行）され、甲第５号証には、化粧品に用いられるアミノ酸系香粧品素材が記載され、Ｎ−アシルグルタメートは、グルタミン酸と高級脂肪酸を原料とする代表的なアミノ酸系アニオン界面活性剤であることが記載（第２７５頁末行〜第２７７頁表下１行）され、甲第６号証は、申立人Ａの提出した甲第１号証の対応公開公報であり、その実施例２には、Ｎ−アシル−Ｌ−グルタミン酸ソーダ（アシル基はラウロイル基）を0.5重量％及び酸化チタンを10.0重量％含有するサンスクリーンファンデーション（全量１００部）が記載され、甲第７号証には、乳化化粧料が記載され、第４頁の表２にＮ−ステアロイルグルタミン酸ソーダ1.0重量％を乳化剤として配合することが記載されている。
　　
　エ．判断
　訂正前の請求項１〜１０は、上記訂正により削除されたので、これら請求項についての申立人Ａ及びＢの主張はその対象がなく、いずれも採用できない。
（本件請求項１（訂正前の請求項１３）について）
　請求項１に係る発明は、5から100nmの間の平均径を有する酸化チタン微少顔料を含有する組成物に、少なくとも１つのアシルグルタマートを導入することにより、該組成物の光青化を減少させる方法であるところ、申立人Ａ及びＢの提出した甲各号証には、酸化チタン微少顔料を紫外線防止を目的として化粧品に配合すること、アシルグルタマートを界面活性剤として化粧品に配合することは記載されているものの、光青化を減少させることについては、全く記載するところがないので、請求項１に係る発明は、申立人Ａの提出した甲第１号証及び甲第７号証、申立人Ｂの提出した甲第１号証及び甲第６号証に記載された発明ではない。
　また、上記のとおり、申立人Ａ及びＢの提出した甲各号証には、酸化チタン微小顔料を含有する組成物の光青化を減少させることが全く記載されていないのであるから、そこに記載された発明からは、当業者が、請求項１に係る発明を容易に想到できないものである。
　そして、請求項１に係る発明は、酸化チタンの微少顔料を含有させたことによる光青化を減少させるなどの、明細書に記載されたとおりの顕著な効果を奏するものである。
　したがって、請求項１に係る発明は、申立人Ａ及びＢの提出した甲各号証に記載された発明ではなく、それらに基づいて当業者が容易に発明をし得たものでもなく、申立人Ａ及びＢの請求項１についての主張はいずれも妥当でない。
　
（本件請求項２について）
　請求項２に係る発明は、請求項１に係る発明をさらに技術的に限定したものであるから、上記と同様の理由で、申立人Ａ及びＢの主張は妥当でない。
　
（本件請求項３（訂正前の請求項１１）について）
　請求項３に係る発明は、5から100nmの間の平均径を有する酸化チタン微少顔料の存在による光青化を減少させるための、該顔料を含有する組成物へのアシルグルタマートの使用であるから、請求項１において述べたのと同様な理由で、申立人Ａ及びＢの提出した甲各号証に記載された発明ではなく、それらに基づいて当業者が容易に発明をし得たものでもないので、申立人Ａ及びＢの請求項３についての主張はいずれも妥当でない。
　
（本件請求項４について）
　請求項４に係る発明は、請求項３に係る発明をさらに技術的に限定したものであるから、上記と同様の理由で、申立人Ａ及びＢの主張は妥当でない。
　
オ．むすび
　したがって、本件特許は、特許異議申立ての理由及び証拠によっては取り消すことができない。
  また、他に本件発明の特許を取り消すべき理由を発見しない。
　
　よって、結論のとおり決定する。
【異議決定日】
平成１５年５月２２日（２００３．５．２２）
【訂正の要旨】
訂正の要旨
　▲１▼訂正事項ａ
　本件特許の特許明細書中の特許請求の範囲の記載
「【請求項１】　小胞体を含有せず、化粧品的に許容可能な媒体中に、５から１００ｎｍの間の平均径を有する少なくとも１つの酸化チタン微小顔料と、アシルグルタマートから選択される少なくとも１つのイオン性の両親媒性脂質を含有することを特徴とする、皮膚および／または髪の光保護用の局所使用用化粧品組成物。
　【請求項２】　アシルグルタマートが、１０〜３０の炭素原子を有するアシル鎖を含有することを特徴とする請求項１に記載の組成物。
　【請求項３】　アシルグルタマートが、１０〜２０の炭素原子を有するアシル鎖を含有することを特徴とする請求項２に記載の組成物。
　【請求項４】　イオン性の両親媒性脂質が、アシルグルタミン酸一ナトリウム、またはアシルグルタミン酸二ナトリウムから選択されることを特徴とする請求項２ないし３のいずれか１項に記載の組成物。
　【請求項５】　アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項４に記載の組成物。
　【請求項６】　イオン性の両親媒性脂質が、組成物の全重量に対して、０．２重量％より多くの量で存在していることを特徴とする請求項１ないし５のいずれか１項に記載の組成物。
　【請求項７】　前記含有量が、組成物の全重量に対して、０．５重量％より多いことを特徴とする請求項６に記載の組成物。
　【請求項８】　酸化チタン微小顔料が、組成物の全重量に対して、０．１〜２５重量％の範囲内の含有量で存在していることを特徴とする請求項１ないし７のいずれか１項に記載の組成物。
　【請求項９】　太陽光線等の紫外線から、皮膚および／または髪を保護するための化粧品組成物としての、請求項１ないし８のいずれか１項に記載の組成物の使用。
　【請求項１０】　請求項１ないし８のいずれか１項に記載の組成物を有効量、皮膚および／または髪に適用することからなる、太陽光線などの紫外線から、皮膚および／または髪を保護するための美容処理方法。
　【請求項１１】　５から１００ｎｍの間の平均径を有する酸化チタン微小顔料の存在による光青化を減少させるための、該顔料を含有する組成物へのアシルグルタマートの使用。
　【請求項１２】　前記アシルグルタマートが、請求項２ないし５のいずれか１項に定義されているものであることを特徴とする請求項１１に記載の使用。
　【請求項１３】　少なくとも１つのアシルグルタマートを、５から１００ｎｍの間の平均径を有する酸化チタン微小顔料を含有する組成物に導入することを特徴とする該組成物の光青化を減少させる方法。
　【請求項１４】　前記アシルグルタマートが、請求項２ないしし５のいずれか１項に定義されているものであることを特徴とする請求項１３に記載の方法。」
を、
「【請求項１】　少なくとも１つのアシルグルタマートを、５から１００ｎｍの間の平均径を有する酸化チタン微小顔料を含有する組成物に導入することを特徴とする該組成物の光青化を減少させる方法。
　【請求項２】　前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項１に記載の方法。
　【請求項３】　５から１００ｎｍの間の平均径を有する酸化チタン微小顔料の存在による光青化を減少させるための、該顔料を含有する組成物へのアシルグルタマートの使用。
　【請求項４】　前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項３に記載の使用。」
と訂正する。
（５４）【発明の名称】
ＴｉＯ２微小顔料とアシルアミノ酸を含有する光保護用化粧品組成物
（５７）【特許請求の範囲】
　【請求項１】　少なくとも１つのアシルグルタマートを、５から１００ｎｍの間の平均径を有する酸化チタン微小顔料を含有する組成物に導入することを特徴とする該組成物の光青化を減少させる方法。
　【請求項２】　前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項１に記載の方法。
　【請求項３】　５から１００ｎｍの間の平均径を有する酸化チタン微小顔料の存在による光青化を減少させるための、該顔料を含有する組成物へのアシルグルタマートの使用。
　【請求項４】　前記アシルグルタマートが、ステアロイルグルタミン酸一ナトリウム、ミリストイルグルタミン酸一ナトリウム、ラウロイルグルタミン酸一ナトリウム、およびステアロイルグルタミン酸二ナトリウムから選択されることを特徴とする請求項３に記載の使用。
【発明の詳細な説明】
　本発明は、局所使用用で、特に、紫外線に対して皮膚および髪を光保護することを意図した新規の化粧品組成物、およびその美容分野における使用に関する。さらに厳密には、化粧品的に許容可能なビヒクルに、少なくとも１つの酸化チタン微小顔料（ナノ顔料）、および１つのアシルアミノ酸を含有する、安定した有色の組成物に関する。
　２８０ｎｍと４００ｎｍの間の波長の光線によりヒトの表皮は日焼し、ＵＶ−Ｂとして知られている２８０と３２０ｎｍの間の波長の光線により、皮膚は、自然なプロンズ化の形成の障害となるサンバーン状態となったり、また紅斑か形成されたりするため、ＵＶ−Ｂは遮蔽しなければならない。
　また、皮膚をサンタン状態にする３２０ｎｍと４００ｎｍの間の波長を有するＵＶ−Ａは、特に、敏感肌または頻繁に太陽光線にさらされている皮膚に好ましくなく変化を与えうる。ＵＶ−Ａは、特に、皮膚の弾性を喪失させ、しわを出現せしめ、時期尚早の加齢に導く原因となるものである。それらは、紅斑反応の誘因を促進し、ある患者においては、この反応を悪化させ、光毒性または光アレルギー反応の原因となる恐れがある。よって、ＵＶ−Ａもまた遮蔽することが望ましい。
　ＵＶ−ＡおよびＵＶ−Ｂを遮蔽するための、様々な種類のサンスクリーン剤類：無機顔料および有機スクリーン剤が商業的に入手可能である。これらのスクリーン剤は、使用者に不快感を与えないものであると同時に、太陽からの有害な光線をプロックまたは吸収するものでなければならない。
　この目的のため、金属酸化物の顔料類か、それらがＵＶを反射および散乱させ、光保護に関して非常に有利である故に、抗日光製品、および日中用製品、特にメークアップ製品において、益々使用されつつある：単独で使用すると、ＵＶに、対して良好に保護することが可能であり；有機スクリーン剤と組み合わせると、高い光保護性を有する製品を生産することが可能になる。
　よって、現在使用されている、最も普及している無機顔料は、遮蔽特性がよく知られている、酸化チタン、好ましくは微小顔料の形態のものである。
　しかしながら、酸化チタン顔料類を含有する組成物類は、無酸素媒体中において、光に対し不安定になることが観察されており、不安定さは青い着色か出現することにより露呈する。光青化（ｐｈｏｔｏｂｌｕｅｉｎｇ）として知られているこの光着色は、美的観点から好ましくないことは明らかである。
　この光反応現象を制限する目的で、表面処理されたＴｉＯ２顔料か提供されており：例えば、欧州特許公告第０４６１１３０号には、リン酸アニオンで処理されたＴｉＯ２微小粒子（ナノ粒子）か記載されている。同様に、シリカまたはアルミナで表面処理されたＴｉＯ２顔料を化粧品に使用することも知られている。しかしながら、これらの処理は、実施するには高価で困難である。
　最後に、これらの表面処理により、金属酸化物顔料の光不安定性、特に、ＴｉＯ２顔料を含有する調製物の光青化が減少することは事実であるが、今だ不十分なままである。
　まだ未公開の仏国特許出願第９５−０７００１号において、本出願人は、脂質小胞体に金属酸化物を包含させることにより、上述した問題か解決されることを提案している。
　ミクロスフェア分散液と少なくとも１つの金属酸化物を含有する化粧品組成物は、国際特許出願第９５／１２３８１号に記載されている。この出願の実施例において、とりわけ、１〜１０％の二酸化チタンと、０〜１０％のラウロイルリシンを含有する組成物が提供されている。しかしなから、この実施例では、使用される酸化チタンの大きさについても、ラウロイルリシンにより、混合されている該酸化チタンの光青化か減少するといった効果の可能性についても明記されていない。
　よって、酸化チタン顔料を含有し、一方保護用の小胞体類を含有しない光安定性組成物が入手可能になることが必要とされ続けている。本発明が意味するところにおいて、光安定性とは、得られた組成物が、上述した光着色現象を受けないか、わずかに受けるにすきないことを意味するものと解される。
　このように、上述した光保護の分野において、多くの研究を行ったところ、本出願人は、ＴｉＯ２顔料を含有する組成物に、アシルアミノ酸類、特に、アシルグルタマート類から選択される少なくとも１つのイオン性の両親媒性脂質を導入することにより、この組成物に関して内在する光青化現象が、かなり減少することを見いだした。
　この発見が、本発明の基礎をなすものである。
　よって、本発明の主題は、局所使用用、特に、皮膚および／または髪の光保護用で、小胞体は含有しないか、化粧品的に許容可能なビヒクルに、少なくとも１つの酸化チタン微小顔料と、アシルアミノ酸から選択される少なくとも１つのイオン性の両親媒性脂質を含有する化粧品組成物にある。
　イオン性の両親媒性脂質は、有利には、アシルグルタマート類から選択される。
　本発明の組成物は、光青化への感作性をほとんど示さないという利点を有する。
　本発明の組成物は、それらを皮膚に適用した場合に、白色化への感作性をほとんど示さないという付加的な利点を有する。最後に、これらの組成物は、非常に柔軟で、優れた日光保護ファクターを有する。
　本発明の他の主題は、紫外線、特に太陽光線から、皮膚および／または髪を保護することを意図した化粧品組成物類の製造、または上述した組成物としての使用にある。
　また、本発明の他の主題は、上述した組成物を有効量、皮膚および／または髪に適用することからなる、紫外線、特にに太陽光線から、皮膚および／または髪を保護するための美容処理方法にある。
　さらに、本発明の主題は、酸化チタン顔料の存在による光青化を減少させるために、該顔料を含有する組成物に、好ましくはアシルグルタマート類から選択されるアシルアミノ酸を使用することにある。
　またさらに、本発明の主題は、好ましくはアシルグルタマート類から選択される少なくとも１つのアシルグルタマート類を、酸化チタン顔料を含有する化粧品用および／または皮膚病用組成物に導入することからなる、該組成物の光青化を減少させる方法にある。
　本発明の他の特徴、観点および利点は、以下の詳細な記載を読むことにより、明らかになるであろう。
　本発明において使用される両親媒性脂質は、アシルアミノ酸から選択される、イオン性の両親媒性脂質である。
　本発明の好ましい実施態様において、イオン性の両親媒性脂質は、アシルグルタマート類、特に、アシル鎖が１０〜３０の炭素原子を有するアシルグルタマート類から選択される。この鎖は、好ましくは１０〜２０の炭素原子を有する。本発明の好ましい実施態様において、アシルグルタマート類は、アシルグルタミン酸ーナトリウム、またはアシルグルタミン酸ニナトリウムから選択される。本発明の組成物において特に良好で適切な化合物は、それぞれ味の素社から、「アシルグルタマートＨＳ１１」、「アシルグルタマートＭＳ１１」、「アシルグルタマートＬＳ１１」および「アシルグルタマートＨＳ２１」の商品名て販売されているステアロイルグルタミン酸−ナトリウム、ミリストイル（Ｍｙｒｉｓｔｏｙｌ）グルタミン酸一ナトリウム、ラウロイルグルタミン酸一ナトリウム、およびステアロイルグルタミン酸ニナトリウムである。
　本発明で使用されるアシルグルタマート類は、本発明の組成物中に、一般的に、組成物の全重量に対して、０．２重量％より多く、好ましくは０．５重量％より多い含有量で存在する。
　本発明において目標とされる組成物類に必須の特徴の一つは、酸化チタンの微小顔料類を含有するということである。微小顔料とは、基本粒子の平均径が、５〜１００ｎｍである粒子を意味するものと解される。好ましくは、本発明において目標とされる微小顔料の基本粒子の平均径は、１０〜５０ｎｍである。このような酸化チタン微小顔料は、スクリーン剤として化粧品の分野で通常使用されている公知の酸化チタン微小顔料に相当するもので、処理されていても、処理されていなくてもよい。
　酸化チタンは、ルチル、アナターゼまたはアモルファスの形態であってよいか、好ましくはルチルおよび／またはアナターゼの形態である。
　例えば、処理された微小顔料は、アルミナ、シリカ、アルミニウム化合物類、シリコン化合物類、ナトリウム化合物類、酸化鉄、鉄エステル類（ｉｒｏｎ　ｅｓｔｅｒｓ）、ステアリン酸またはグリセロールで処理されてもよい。
　特に、処理された微小顔料としては：
−シリカおよびアルミナで処理された酸化チタン、例えば、タイカ（Ｔａｙｃａ）社の製品で「マイクロチタンジオキシドＭ‐Ｔ１００ＳＡ」および「マイクロチタンジオキシドＭＴ５００ＳＡ」、およびチオキシド（Ｉｉｏｘｉｄｅ）社の製品で「ティオベイル（Ｔｉｏｖｅｉｌ）ＩＰＭ」、「ティオベイルＭＯＴＧ」、「ティオベイルＯＰ」、「ティオペイルフィン（Ｆｉｎ）」、
−アルミナおよびステアリン酸アルミニウムて処理された酸化チタン、例えば、タイカ社の製品で「マイクロチタンジオキシドＭＴ１００Ｔ」、
−アルミナおよびラウリン酸アルミニウムで処理された酸化チタン、例えば、タイカ社の製品で、「マイクロチタンジオキシドＭＴ１００Ｓ」、一酸化鉄およびステアリン酸鉄で処理された酸化チタン、例えば、タイカ社の製品で、「マイクロチタンジオキシドＭＴ１００Ｆ」、
−シリカ、アルミナおよびシリコーンで処理された酸化チタン、例えば、タイカ社の製品で、「マイクロチタンジオキシドＭＴ１００ＳＡＳ」、「マイクロチタンジオキシドＭＴ６００ＳＡＳ」、および「マイクロチタンジオキシドＭＴ５００ＳＡＳ、
−ヘキサメタリン酸ナトリウムて処理された酸化チタン、例えば、タイカ社の製品で、「マイクロチタンジオキシドＭＴ１５０Ｗ」、
−オクチルトリメトキシシランて処理された酸化チタン、例えぱ、デガッサ（Ｄｅｇｕｓｓａ）社の製品で、「Ｔ−８０５」、
−アルミナおよびステアリン酸で処理された酸化チタン、例えば、ケミラ（Ｋｅｍｉｒａ）社の製品で、「ＵＶＴ一Ｍ１６０」、
−アルミナおよびグリセロールで処理されだ酸化チタン、例えば、ケミラ社の製品で、「ＵＶＴ一Ｍ２１２」、
−アルミナおよびシリコーンで処理された酸化チタン、例えば、ケミラ社の製品で、「ＵＶＴ一Ｍ２６２」、であってよい。未処理の酸化チタンとしては、例えば、タイカ社から「マイクロチタンジオキシドＭＴ５００Ｂ」または「マイクロチタンジオキシドＭＴ６００Ｂ」の商品名で販売されているものであってよい。
　酸化チタン微小顔料（類）は、本発明の組成物中に、組成物の全重量に対して０．１〜２５重量％、好ましくは、組成物の全重量に対して０．２〜２０重量％の割合で存在している。
　本発明の手段により、何ら問題なく、比較的多量のＴｉＯ２、特に、５重量％より多く、さらに１０重量％より多く、またさらに１５重量％より多くの量を、上述した光青化の問題なく、またはわずかに不利益を被るのみで、導入することかできる。
　もちろん、本発明の抗日光化粧品組成物は、ＵＶ−Ａおよび／またはＵＶ−Ｂに対して活性のある、一または複数の親水性または親油性のスクリーン剤（吸収剤）を含有してもよい。これらのスクリーン剤は、特に、ケイ皮酸誘導体類、サリチル酸誘導体類、シヨウノウ誘導体類、トリアジン誘導体類、ベンゾフェノン誘導体類、ジペンゾイルメタン誘導体類、β，β−ジフェニルアクリラート誘導体類、ｐ−アミノ安息香酸誘導体類、または国際特許出願第９３／０４６６５号に記載されているシリコーンスクリーン剤類およびポリマースクリーン剤類から選択されうる。本発明の組成物に使用可能なＵＶ−Ａスクリーン剤の具体例としては、ギパウダンーローレ（Ｇｉｖａｕｄａｎ−Ｒｏｕｒｅ）社から「パーソル（Ｐａｒｓｏｌ）１７８９」の商品名で販売されているプチルメトキシジベンゾイルメタン、または当社から「メキソリル（Ｍｅｘｏｒｙ１）ＳＸ」の商品名で販売されている「ベンゼンー１，４一ジ（３一メチリデンー１０−ショウノウスルホン）酸」が挙げられる。本発明の組成物に使用可能なＵＶ一Ｂスクリーン剤の具体例としては、ロナ／イー．メルク（Ｒｏｎａ／Ｅ．Ｍｅｒｃｋ）社からそれぞれ「ユーソレック（Ｅｕｓｏｌｅｘ）６３００」および「ユーソレック２３２」の商品名で販売されている４一メチルベンジリデンショウノウまたはフェニルベンズイミダゾールスルホン酸、またはＢＡＳＦ社から「ユビヌル（Ｕｖｉｎｕｌ）Ｎ５３９」の商品名で販売されている２−エチルヘキシルー２一シアノー３，３一ジフェニルアクリラートか挙げられる。有機スクリーン剤の他の具体例としては、欧州特許公開第０４８７４０４号に記載されているものがある。
　また、発明の組成物は、プロンズ化、および／または皮膚を人工的に日焼けした状態にするための薬剤（速効日焼け剤類：ｉｎｓｔａｎｔ　ｔａｎｎｉｎｇ　ａｇｅｎｔｓ）、例えばジヒドロキシアセトン（ＤＨＡ）をさらに含有してもよい。
　さらに、本発明の化粧品組成物は、上述したもの以外の微小顔料類、または顔料類を含有してもよい。このような顔料類は、被覆された、またはされていない、金属酸化物の微小顔料類、例えば、酸化鉄、酸化亜鉛、酸化ジルコニウムまたは酸化セリウムの微小顔料であり、それ自体、ＵＶを物理的にブロック（反射および／または散乱）することにより作用し、全て光保護剤としてよく知られているものである。またさらに、従来からのコーティング剤は、アルミナおよび／またはステアリン酸アルミニウムである。このような、被覆された、または被覆されていない、金属酸化物の微小顔料類としては、特に、欧州特許公開第０５１８７７２号および欧州特許公開第０５１８７７３号に記載されているものがある。
　また、本発明の組成物は、脂肪物質、有機溶媒、イオン性または非イオン性の増粘剤、柔軟剤、酸化防止剤、特にＡＦＲ酸化防止剤、不透明化剤、安定化剤、エモリエント類、シリコーン類、α−ヒドロキシ酸類、消泡剤、保湿剤、ビタミン類、香料、防腐剤、界面活性剤、フィラー、金属イオン封鎖剤、ポリマー類、噴射剤、塩基性または酸性化剤、染料または化粧品、特に、エマルションの形態の抗日光組成物の製造において一般的に使用されている任意の他の成分から選択される従来よりの化粧品用のアジュバントを含有してもよい。
　脂肪物質は油またはロウまたはそれらの混合物からなるものであってよく、また、脂肪酸類、脂肪アルコール類および脂肪酸のエステル類を含有してもよい。油は、動物性油、植物性油、鉱物性油または合成油、特に、流動ワセリン、流動パラフィン、揮発性または非揮発性のシリコーン油、イソパラフィン類、ポリーα−オレフィン、まだはフッ化または過フッ化（ｐｅｒｆｌｕｏｒｉｎａｔｅｄ）油から選択することかできる。同様に、ロウは、それ自体公知の、動物性、化石、植物性、鉱物性、または合成ロウ類から選択することができる。
　有機溶媒としては、低級アルコール類および多価アルコール類を挙げることができる。
　増粘剤は、特に、変性した、まだは変性していないセルロース類、およびグアガム類、架橋したポリアクリル酸から選択されうるもので、例えば、ヒドロキシプロピル化されたグアガム、メチルヒドロキシエチルセルロース、およびヒドロキシプロピルメチルセルロースである。
　もちろん、当業者は、本発明の２つの組み合わせによる固有の有利な特性が、考慮される添加により、全く、または実質的に影響されないように、上述した添加可能な化合物（類）（スクリーン剤、顔料、アジュパント等）および／またはそれらの量を、注意して選択するであろう。
　本発明の組成物は、当業者によく知られた技術、特に、水中油型または油中水型のエマルションの調製を意図した技術により、調製することかできる。
　この組成物は、特に、単一または複合エマルション（Ｏ／Ｗ、Ｗ／Ｏ、Ｏ／Ｗ／Ｏ、およびＷ／Ｏ／Ｗ）の形態、例えば、クリーム、ミルク、ゲル、またはクリームゲル、パウダー、または棒状固体の形態で提供されてもよく、また、エアゾールとして包装されていてもよく、さらに、フォームまたはスプレーの形態で提供されてもよい。
　本発明の化粧品組成物は、抗日光組成物またはメークアップ製品のような、紫外線に対してヒトの皮膚または髪を保護するための組成物として使用することかできる。
　本発明の化粧品組：成物が、紫外線に対してヒトの皮膚を保護するため、すなわち抗日光組成物として使用される場合、それは、脂肪物質類または溶媒に分散または懸濁した形態、またはエマルション、好ましくは水中油型のエマルションの形態、例えば、クリームまたはミルク、膏薬、ゲル、クリームゲル、棒状固体、スティック、泡状エアゾールまたはスプレーの形態で提供されうる。
　本発明の化粧品組成物か、髪を保護するために使用される場合、それは、シャンプー、ローション、ゲル、エマルション、または髪用ラッカーの形態で提供されるものであってよく、例えばシャンブーの前または後、染色または脱色の前または後、パーマネントウエープまたは髪のストレート化の前、処理中、後に適用されてすすがれる組成物、スタイリングまたはトリートメント用のローションまたはゲル、プロー乾燥または髪のセット用のローションまたはゲル、またはパーマネントウエーブまたは髪のストレート化用、または髪の脱色または染色用組成物を含むことができる。
　組成物が、まつげ、眉毛または皮膚のメークアップ製品、例えば、皮膚のトリートメントクリーム、ファンデーション、棒状口紅、アイシャドウ、ほほ紅、マスカラ、またはアイライナーとして使用される場合、それは、無水または水性、固体またはペーストの形態、例えば、水中油型またば油中水型のエマルション、または懸濁液として提供されうる。
　指針として、水中油型のエマルションタイプのビヒクルを有する、本発明の抗日光調製物において、水相（スクリーン剤、または他の親水性アジュバント類を含有する）は、一般的に調製物の全重量に対して５０〜９５重量％、好ましくは７０〜９０重量％、油相（特に、スクリーン剤（類）および他の親油性のアジュパント類を含有する）は、調製物の全重量に対して５〜５０重量％、好ましくは１０〜３０重量％、（共）乳化剤（類）は、調製物の全重量に対して０．５〜２０重量％、好ましくは２〜１０重量％である。
　本発明の組成物は、好ましくは、水中油型のエマルションの形態で提供される。
　明細書の最初で示したように、本発明の他の主題は、上述した化粧品組成物を有効量、皮膚または髪に適用することからなる、紫外線の影響に対して皮膚および髪を保護することを意図した、皮膚および髪の美容処理方法にある。
　次に本発明の実施例を例証するが、本発明の範囲を限定するものではない。
実施例１：
　酸化チタン微小顔料類を含有する組成物にアシルグルタマート類を導入することにより、光青化に関して改善されることを示すため、比較試験を行った。
　各々、味の素社から「アシルグルタマートＨＳ１１」の商品名で販売されているステアロイルグルタミン酸一ナトリウムを所定のパーセンテージｘと、タイカ社から「ＭＴ１００Ｔ」の商品名で販売されている酸化チタンを５％含有する、４つの水中油型エマルションを調製した。このような４つのエマルションＡ、Ｂ、ＣおよびＤにおいて、ｘを０〜５％で変化させて調製した。組成物に共通のビヒクル（水中油型エマルション）を以下に示す：
ビヒクル：
　　−ＩＣＩ社から「アルラセル（Ａｒｌａｃｅ１）１６５」の商品名で販売されているモノステアリン酸グリセリルとジステアリン酸グリセリル／ポリエチレングリコール（１００ＥＯ）ステアラートの混合物
　　　　　　　　　　　　　　　　　　　　　　　　　　　　　　　　　　２％
　　−「フィンソルプ（Ｆｉｎｓｏｌｖ）ＴＮ」の商品名で販売されているＣ１２／Ｃ１５アルコールのベンゾアート
　　　　　　　　　　　　　　　　　　　　　　　　　　　　　　　　　　８％
　　−保湿剤　　　　　　　　　　　　　　　　　　　　　　　　　　　　８％
　　−タイカ社から「ＭＴ１００Ｔ」の商品名で販売されている二酸化チタン
　　　　　　　　　　　　　　　　　　　　　　　　　　　　　　　　　　５％
　　−味の素社から「アシルグルタマートＨＳ１１」の商品名で販売されているステアロイルグルタミン酸一ナトリウム
　　　　　　　　　　　　　　　　　　　　　　　　　　　　　　　　　　ｘ％
　　−グッドリツチ（Ｃｏｏｄｒｉｃｈ）社から「カルボポール（Ｃａｒｂｏｐｏｌ）９８０」の商品名で販売されている架橋したポリアクリル酸
　　　　　　　　　　　　　　　　　　　　　　　　　　　　　　　　０．３％
　　−ｐＨ剤　　　　　　　　　　　　　　　　　　　　　　ｐＨ＝７にする量
　　−防腐剤　　　　　　　　　　　　　　　　　　　　　　　　　　　　適量
　　−純水　　　　　　　　　　　　　　　　　　　　全体を１００％とする量
　これらの４つの組成物において、光青化を次の手順に従って評価した：組成物を、ＵＶ一透過性プラスチックポックス（５０×４０×６ｃｍ３の結晶性ポリスチレンポックス）に入れ、１２時間、ＵＶ線にさらした［ヘレウス（Ｈｅｒａｅｕｓ）の日光テスト　ＣＰＳ］。ミノルタ　ＣＭ１０００比色計を使用し、比色測定を行った：まず、ＵＶ線にさらす直前（Ｔ０）で測定し、次に、ＵＶ線にさらして１２時間後（Ｔ１２ｈ）で測定した。
　結果を、Ｌが輝度を表し、ａが赤一緑軸（−ａ＝緑、＋ａ＝赤）を表し、ｂが黄一青軸（−ｂ＝青、＋ｂ＝黄）を表す（Ｌ、ａ、ｂ）系で表示する。
　光青化を評価するために、重要な値は△Ｅであり、全ての色における変化を測定したものである。△Ｅは、次の式：
［上式中、
−△ｂ＝ｂＴ１２ｈ−ｂＴ０で、青色の変化を測定し、
−△Ｌ＝ＬＴ１２ｈ−ＬＴ０で、組成物の黒化を測定するに従い、△Ｌ、△ａおよび△ｂの変動から算出される。△Ｅが最小値であると、より効果的に光青化に対して保護していることになる。
結果を次の表（Ｉ）に示す：
　これらの結果には、酸化チタン類を含有する組成物に、アシルグルタマートを導入することにより、明らかに、このような組成物に関して通常、観察される光青化が、かなり減少していることが示されている。
実施例２：
　各々、１ｇのアシルグルタマートと、タイカ社から「ＭＴ１００Ｔ」の名称で販売されている酸化チタンを５％含有する３つの水中油型エマルション、Ｅ、ＦおよびＧを調製した。これらの３つのエマルションに共通のビヒクルは、実施例で使用したものと同様であり、アシルグルタマートの性質を変えた。組成物Ｅは、味の素社から「アシルグルタマートＭＳ１１」の商品名で販売されているミリストイルグルタミン酸一ナトリウムを１％含有し、組成物Ｆは、味の素社から「アシルグルタマ一トＬＳ１１」の商品名で販売されているラウロイルグルタミン酸一ナトリウムを１％含有し、さらに組成物Ｇは、味の．素社から「アシルグルタマートＨＳ２１」の商品名で販売されているステアロイルグルタミン酸ニナトリウムを１％含有する。
　上述した実施例１と同様の手順に従い得られた結果を、次の表（ＩＩ）に示す：
　これらの結果には、アシルグルタマートを導入することにより、その性質に依らず、酸化チタンの存在に関与する光青化か、明らかに減少していることが示されている。
実施例３：
　本発明の抗日光組成物の具体例として、次の水中油型エマルションを付与する。量は、組成物の全重量に対する重量％て示す。
Ａ相：
　　−ＩＣＩ社から「アルラセル１６５」の商品名で販売されているモノステアリン酸グリセリルとジステアリン酸グリセリル／ポリエチレングリコール（１００ＥＯ）ステアラートの混合物　　　　　　　　　　　　　　　　　　　　　　２％
　　−ステアリネリーデュポイス（Ｓｔｅａｒｉｎｅｒｉｅ　Ｄｕｂｏｉｓ）社から「ステアリン（ｓｔｅａｒｉｎｅ）ＴＰ」の名称で販売されているステアリン酸
　　　　　　　　　　　　　　　　　　　　　　　　　　　　　　　　２．５％
　　−「フィンソルプＴＮ」の商品名で販売されているＣ１２／Ｃ１５アルコールのベンゾアート
　　　　　　　　　　　　　　　　　　　　　　　　　　　　　　　　　　８％
　　−トリエタノールアミン　　　　　　　　　　　　　　　　　　０．４５％
Ｂ相：
　　−グリセロール　　　　　　　　　　　　　　　　　　　　　　　　　８％
　　−タイカ社から「ＭＴ１００Ｔ」の商品名で販売されている二酸化チタン
　　　　　　　　　　　　　　　　　　　　　　　　　　　　　　　　　　５％
　　−味の素社から「アシルグルタマートＨＳ１１」の商品名で販売されているステアロイルグルタミン酸一ナトリウム
　　　　　　　　　　　　　　　　　　　　　　　　　　　　　　　　０．５％
Ｃ相：
　　−グッドリッチ社から「カルポポール９８０」の商品名で販売されている架橋したポリアクリル酸
　　　　　　　　　　　　　　　　　　　　　　　　　　　　　　　　０．３％
　　−「ＤＣ２４５フルイド（Ｆｌｕｉｄ）」の商品名で販売されているシクロペンタジメチルシロキサン
　　　　　　　　　　　　　　　　　　　　　　　　　　　　　　　　　　５％
Ｄ相：
　　−ｐＨ剤　　　　　　　　　　　　　　　　　　　　　　ｐＨ＝７にする量
Ｅ相：
　　−防腐剤　　　　　　　　　　　　　　　　　　　　　　　　　　　　適量
　　−純水　　　　　　　　　　　　　　　　　　　　全体を１００％とする量
　上述した組成物を、次の方法により調製した：Ａ相を撹拌しつつ、８０−８５℃にした。ついで、Ｂ相と水の一部を撹拌しつつ、８０−８５℃にした。ついで、エマルションを製造するために、撹拌しつつＡ相をＢ相に注いだ。混合物を約４５・Ｃに冷却し、ついで、予め分散させておいたＣ相を添加した。ゲルを中和した。冷却し続け、最後に、防腐剤と、残りの水を添加した。